(57)【要約】【課題】法面を覆っている覆式落石防護ネットの半永久的使用と風化しやすい法肩部の保護を図り景観向上と太陽光線の反射を押される工法。【解決手段】覆式落石防護ネットを植生ネットとして併用、法面を覆った落石防護ネットの法肩部分全面に植栽の基盤となる洋芝種子が内包された植栽マット体を敷設固定し、その表面に洋芝及びスライドアンカーピンを使った中低木を植栽することにより法肩部を植栽マット体及び植栽根で保護し、さらに法面上にＴＫクローアンカーを使用して中低木を植栽し、落石防護ネットと植栽根による二重の落石防護を図り、植栽緑化による景観復元と太陽光線の反射を抑制する覆式落石防護ネット植栽緑化工法。【選択図】図９
2008057262.tif 000002
【特許請求の範囲】
【請求項１】
覆式落石防護ネットの全法肩部に洋芝種子が内包された腐植しにくい薄型植栽マット体をアンカーピンで固定し、当該薄型植栽マット体の表面にスライドアンカーピンを使用して中低木を植栽することにより法肩地山の風化防止を図るとともに法面の地山と覆式落石防護ネットが密着する部分の約５ｍ２に１本の割合でＴＫクローアンカーピンと厚層基材吹付を用いて中低木を植栽することにより当該落石防護ネットを、植栽木の根により法面を安定させ、また植栽した中低木により景観形成力の向上を図ることを特長とした覆式落石防護ネット植栽緑化工法。
【発明の詳細な説明】
【技術分野】
【０００１】
本発明は、落石を未然に防ぐために法面に張られる覆式落石防護ネット上に植栽木等の緑化により法面の風化防止と景観向上を図った覆式落石防護ネットの植栽緑化工法に関するものである。
【背景技術】
【０００２】
国土の約７割を山岳地帯が占める我が国では、道路交通網の整備、開発にともない地形及び地質上のあらゆる問題を含め法面に対する防災対策が必須であるため各種の法面保護工法が考案され施工されてきている。中でも落石による災害を未然に防ぐための落石防護ネットによる法面保護が数多く取り入れられてきている。しかし、落石防護ネットは、あくまでも落石を押さえる仮設の設置であり短期間に網の破損等により張替えねばならない欠点と自然植生の進出を促す手法が採られていないため自然植生の回復が遅れ、徐々に地山の風化とともに裸地化が進み周囲の景観にマッチせず違和感を与えるとともに太陽光線を反射させて温度上昇の一因にもなっている。
【０００３】
そこでこのような問題を解決するため、落石防護ネットと地山の間に土留用のポケットを設けて落ち葉と落石土を捕獲して緑化を図る工法（特許文献１）やマット状に形成された緑化客土を斜面に敷設し、その上に厚ネットを敷設してロープを張設アンカーに連結し厚ネットを固定して緑化を図る工法（特許文献２）等があるがいずれも新たに設置する箇所のみで既存の落石防護ネット上に施工できるものではなかった。
【特許文献１】特開平１０−２２７０３４号公報
【特許文献２】特開２００６−２８８０２号公報
【発明の開示】
【発明が解決しようとする課題】
【０００４】
このような現実を踏まえ、既存及び新設の覆式落石防護ネットの半永久的な使用を可能にすること、並びに法面への植生回復を促進し、景観向上を図りつつ、法面保護を遂行する技術開発である。
【０００５】
既設並びに新設の覆式落石防護ネットを半永久的な使用を図るため、また法面への植生回復を促進するため、法肩部位に薄型植栽マット体を被せて、そのマット体上に草本類と中低木を植栽する。また覆式落石防護ネット上の複数箇所に中低木を植栽し、該覆式落石防護ネットと植栽した樹木根とで法面を二重に保護、緑化して、本来の目的である落石の防止効果を強化し、植生回復の促進効果を合わせて景観の向上と太陽光線の反射を抑えて
、温度上昇を抑制する。上記マット体の開発とこれを使用して施工する工法を開発する。
【課題を解決するための手段】
【０００６】
上記の薄型植栽マット体は、いずれも腐蝕しにくい材質で植物の根を通すポリエチレンの平織ネットシート、ポリエステルの保水シートとポリエステルの不織布の順で重ね底部とし、その上に軽くて保水性の高い植生基盤土（ココピート、水苔、バーク堆肥、ピートモス、木・草炭粒の混合土に有機肥料、遅効性肥料、化成肥料と洋芝種子を添加した人工土壌）を約５ｃｍ厚で敷き詰め、その上にいずれも植物の芽と根を通すポリエステルの不織布、ポリエチレンの平織ネットシート、縁ロープを付帯したポリエチレンのネット状シートの順に重ね上部を形成し、底部と上部が一体化するように縦横所定間隔に腐蝕しにくい糸で縫製し、四方縁廻りに縁ロープを付帯形成した薄型植栽マット体を覆式落石防護ネットが張られている法面肩部（約１ｍ幅）ネット上全面に敷設し、約５０ｃｍ間隔で縁ロープをアンカーピンで固定することにより当該薄型植栽マット体に傷を付けず固定する。
【０００７】
次に、当該薄型植栽マット体表面に樹脂系ネット板をリング状に加工した根鉢保護リングで根鉢部分を保護した中低木の苗木をｍ２当たり２〜３本の割合で配置し、植栽木の根がマット体と密着し木の根がマット体内に進入しやすいように植栽基盤土を約１ｃｍ厚に覆土し、その上に根鉢保護リングに保護された植栽木を配置し、複数本のスライドアンカーピンを当該根鉢保護リング外周円下の位置から根鉢の中心点に向かってネット状シートに差込みスライドさせてすべてのアンカーピンの係止部分に固定バンドを回し絞り込むことにより根鉢保護リングを固定する。その上に当該根鉢保護リングを覆い隠すようにマウンド状に植生基盤土を覆土し、植生基盤土が風雨等で流出しないように不織布とネット状シートで根鉢部分を包み込むように覆い結束バンド複数本でマット表面のネット状シートに結束固定することにより植生基盤土の流出もなく植栽木が植栽でき、マット体内の洋芝種子との緑化保護を図る。
【０００８】
さらに、法面上を覆っている覆式落石防護ネット上に約５ｍ２に１本の割合で、根巻した中低木をＴＫクローアンカーを用いて地山に固定し、植栽基盤土として当該根鉢部とその周囲約５０ｃｍ四方に５ｃｍ〜１０ｃｍ厚さの洋芝種子入りの厚層基材吹付をして植栽する。やがて洋芝や植栽木が生長し根が地山と一体になり、覆式落石防護ネットと二重に法面を保護し、裸地化を防ぎ良好な景観の形成と太陽光線の反射を押さえ温度上昇を抑制する覆式落石防護ネット植栽緑化工法である。
【発明の効果】
【０００９】
薄型植栽マット体の縁ロープを固定することにより、マット体に傷を付けず覆式落石防護ネットの法肩部に設置ができること、またマット体表面に傷を付けずスライドアンカーピン等の固定具を使って中低木を植栽できることにより、当該薄型植栽マット体内の保水性の高い植生基盤土の流出がないため、生育基盤土が長い年月にわたり植栽木等を生育させることが可能であり、覆式落石防護ネットの法肩部を植栽木と洋芝が覆い風化を防止し
良好な景観を形成する。
【００１０】
さらに、法面上を覆っている覆式落石防護ネットが地山と密着している箇所、約５ｍ２に１本の割合で植栽した樹木は、ＴＫクローアンカーピンを用いて植栽したことにより強風や振動でも飛散や倒木もなく地山に根を伸ばし生育し、覆式落石防護ネットと植栽木根とで二重に落石防止を図りネットの表面を植栽木や洋芝が覆うことにより太陽光線の反射を抑え温度上昇を抑制し良好な自然景観復元への速度を向上でき、永年植栽植物との落石防護が図れる覆式落石防護ネット植栽緑化工法である。
【発明を実施するための最良の形態】
【００１１】
図１（イ）は、薄型植栽マット体１の斜視図であり、（ロ）は、薄型植栽マット体１の構造を示す説明図で、腐蝕しにくく植物の芽や根を通す材質でマット体を形成するポリエチレンのネット状シート２、ポリエステルの不織布３、ポリエステルの保水シート４、の順に重ね底部とし、底部上に保水力・保肥力が強い植生基盤土５（ココピート、ピートモス、木草炭粒、水苔、バーク堆肥、有機肥料、遅効性肥料、化成肥料の混合土に洋芝種子混合）を５ｃｍ厚で敷き詰め、その上にポリエステルの不織布３、ポリエチレンの平織ネットシート６、縁ロープを付帯したポリエチレンのネット状シート７の順に重ねて上部を形成し植生基盤土５の移動防止のため底部と上部が一体化するように縦横一定間隔にポリエステル製の縫い糸８で縫製成形した薄型植栽マット体１である。
【００１２】
図２は、植栽木を安定した状態で植栽する仕組みを示すものである。（イ）は植栽木を安定した状態で植栽固定するための補助具で、樹脂系の有孔板を植栽木の根鉢より一回り大きいリング状に加工した根鉢保護リング９を示すものであり、（ロ）は根鉢保護リング９内に根巻した植栽木１０の根巻部１１と水で練った植生基盤土１２を挿入し根鉢底が平らになるように隙間無く覆土し、安定した植立状態に根鉢保護リング９内に収めた植栽木１０である。
【００１３】
図３は、スライドアンカーピンの仕組みを説明するものである。（イ）は長尺の金属棒を水平状の係止差込部１３ａとその一方端部から上方に立ち上がらせた支持部１３ｂとその頭部に環状バンド係止部１３ｃとを設けてなるスライドアンカーピン１３が複数本と、環状バンド１４との組合せとからなり、（ロ）は複数本のスライドアンカーピン１３をスライドさせながら植栽木の根鉢を保護している根鉢保護リングを支えるようにし、その上で支持部頭部の環状バンド係止部１３ｃに環状バンド１４を係止して絞り込むことにより植栽木が風雨等で倒れないように植立固定するように使用する。
【００１４】
図４は、覆式落石防護ネットの法肩部に植栽する方法を説明するものである。（イ）は覆式落石防護ネット１５が張られている法面の法肩部分に洋芝種子入り薄型植栽マット体１を敷設して縁ロープをアンカーピン１６で固定し、当該薄型植栽マット体１表面の植栽位置に植栽木１０を固定した状態を示し、（ロ）は薄型植栽マット体１に植栽木１０を固定した説明図で、根鉢保護リング９に納まった植栽木１０を薄型植栽マット体１の植栽位置に配置し、当該根鉢保護リング９の周囲３〜４箇所にスライドアンカーピン１３の係止差込部１３ａを根鉢保護リング９下をスライドするように薄型植栽マット体１表面のネット状シートの網目に通し、当該スライドアンカーピン１３の各支持部頭部の環状バンド係止部１３ｃに環状バンド１４を円状に係止して、当該環状バンド１４を絞ることにより該根鉢保護リング９が該薄型植栽マット体１表面に固定されることにより植栽木１０や宿根植物が倒れることなく植栽される。
【００１５】
図５は、薄型植栽マット体１の表面に植栽木等の根鉢が収まった根鉢保護リング９をスライドアンカーピン１３と環状バンド１４を用いて固定した根鉢保護リング９を覆い隠すように表面をマウンド状に植栽基盤土１２で覆土し、当該植栽基盤土１２が風雨等で飛散流出しないように水を通す不織布３と植物の芽を通す網目のネット状シート２で表面を覆った上で、当該ネット状シート２の周縁を複数箇所結束バンド１７で薄型植栽マット体１表面のネット状シートに結束固定する。
【００１６】
図６は、ＴＫクローアンカーによる植栽木等の固定の仕組みを示すものである。（イ）は、長尺の鉄筋棒１９の側周面に所定間隔を置いて多段状に山形係止部２０を形成し、その下端部には先の尖った差込部２１を形成しているアンカー本体１８と、このアンカー本体１８を挿通す貫通孔を有する係止用筒体２２と当該係止用筒体２２を基部としてこれから複数の爪部２３が扇状に外方に突出形成している根鉢保持爪体（クロー）２４とからなり、（ロ）はクロー２４の係止用筒体２２をアンカー本体１８の鉄筋棒１９に挿通してＴＫクローアンカー２５とし、（ハ）はクロー２４の爪部２３に下方から押上荷重が負荷されると基部の係止用筒体２２が傾いてその筒口の端縁部が鉄筋棒１９の山形係止部２０と係合って、当該鉄筋棒１９の任意位置に固定され、アンカーと一体となる状態を説明した図である。
【００１７】
図７は、法面上を覆っている覆式落石防護ネット上に植栽する方法を説明するものである。（イ）は法面上を覆っている覆式落石防護ネット１５上に約５ｍ２に１箇所の割合で植栽木１０をＴＫクローアンカーで固定した全体図である。（ロ）は覆式落石防護ネット１５上に植栽木１０を固定した説明図で、まず植栽位置に植栽木を配置し、ハンマードリルにて植栽箇所にアンカー本体（鉄筋棒１９）の頭部が約２０〜３０ｃｍ残る程度まで垂直に穴を開け当該アンカー本体を打込み、植栽木根鉢１１の後部が当該アンカー本体に垂直にあたるように設置し、クローをアンカー本体の鉄筋棒１９に挿通し、クローの爪部分２３にて植栽木１０の根鉢１１部分を押さえ、後部を打設することにより係止用筒体２２が傾いてその筒口の端縁部が鉄筋棒１９の山形係止部２０に係合ってＴＫクローアンカー２５に固定され植栽木根鉢が植立固定される。
【００１８】
図８は、覆式落石防護ネット１５上にＴＫクローアンカー２５で固定された植栽木１０の根鉢部分とその周囲に植生基盤土となるバーク堆肥、ピートモスそれに洋芝種子、肥料
、粘着剤を配合した厚層基材吹付２６による覆土を約５〜１０ｃｍ厚で行なった状態を示す側面図である。
【００１９】
図９は、覆式落石防護ネット上に植栽緑化した完成図であり、覆式落石防護ネットの法肩部を薄型植栽マット体１と洋芝２７や植栽木１０で風化防止を図り、法面部はＴＫクローアンカーを用いて植栽木１０が地山に固定植栽され、強風で倒木することもなく生育し、根を覆式落石防護ネット１５に絡めながら地山に定着することにより覆式落石防護ネットと植栽木根による二重の落石防護保護と植栽木等の緑化による自然景観形成が図れる。
【産業上の利用可能性】
【００２０】
覆式落石防護ネット植栽緑化工法は、法肩部に敷設した薄型植栽マット体に根鉢保護リングとスライドアンカーピンを用い、また法面上にはＴＫクローアンカー等を用いての中低木＆洋芝植栽による法面の風化防止と落石防止の強化と自然景観復元促進を図るこれからの覆式落石防護ネット工事の工法として利用される可能性の高いものである。
【図面の簡単な説明】
【００２１】
【図１】薄型植栽マット体の斜視図と断面を示す断面図である。
【図２】植栽木を安定した状態で植立固定する説明図であり、（イ）は根鉢保護リンングの斜視図を示し、（ロ）は根鉢保護リング内に植栽木の根巻部と植生基盤土を詰め込み植栽した説明図である。
【図３】スライドアンカーピンの仕組みを説明する説明図であり、（イ）は複数本の係止ピンと環状バンドとの組合せ状態を示す斜視図で、（ロ）は支持部頭部の環状ワイヤー係止部に環状バンドを係止し、これを絞り込んで支柱部に根鉢保護リングを絞りこんだ状態を示す斜視図である。
【図４】覆式落石防護ネットの法肩部に植栽する説明図であり、（イ）は覆式落石防護ネットの法肩部に敷設された薄型植栽マット体上に植栽木を固定した状態を示す斜視図で、（ロ）は薄型植栽マット体上に植栽木を固定する説明図である。
【図５】薄型植栽マット体上に植栽木を固定し、根鉢保護リングを植生基盤土で覆い不織布とネット状シートで保護した説明図である。
【図６】ＴＫクローアンカーの仕組みを説明する説明図であり、（イ）はＴＫクローアンカーの構成部材であるピン本体と根巻保持爪体を示す斜視図で、（ロ）はＴＫクローアンカーを組み合わせた状態を示す斜視図で、（ハ）はＴＫクローアンカーのピン本体に係止用筒体が固定される説明図である。
【図７】法面を覆っている覆式落石防護ネット上に植栽木を固定する説明図で、（イ）は覆式落石防護ネット上に植栽木を固定した状態を示す斜視図で、（ロ）は覆式落石防護ネット上に植栽木を固定される説明図である。
【図８】覆式落石防護ネット上に植栽木を固定した根鉢部分と周囲に植生基盤土を覆土した状態を示す側面図である。
【図９】一実施例の完成斜視図である。
【符号の説明】
【００２２】
１    薄型植栽マット体
２    ネット状シート
３    不織布
４    保水シート
５    基盤土
６    平織ネットシート
７    縁ロープを付帯したネット状シート
８    縫い糸
９    根鉢保護リング
１０    植栽木
１１    根巻部
１２    植生基盤土
１３    スライドアンカーピン
１３ａ  係止差込部
１３ｂ  支持部
１３ｃ  環状バンド係止部
１４    環状バンド
１５    覆式落石防護ネット
１６    アンカーピン
１７    結束バンド
１８    アンカー本体
１９    鉄筋棒
２０    山形係止部
２１    差込部
２２    係止用筒体
２３    爪部
２４    根鉢保持爪体（クロー）
２５    ＴＫクローアンカー
２６    厚層基材吹付
２７    洋芝
【図１】
2008057262.tif 000003
【図２】
2008057262.tif 000004
【図３】
2008057262.tif 000005
【図４】
2008057262.tif 000006
【図５】
2008057262.tif 000007
【図６】
2008057262.tif 000008
【図７】
2008057262.tif 000009
【図８】
2008057262.tif 000010
【図９】
2008057262.tif 000011